(57)【特許請求の範囲】
【請求項１】
対向する断面コ字形状の摺動溝を条設する上横枠と下横枠、及び収納ポケットを条設する縦枠と、前記収納ポケットと対向する側に開口する断面コ字形状の縦溝を条設する戸先縦枠とからなる方形状網戸枠と、該方形状網戸枠の上、下横枠の摺動溝に上・下端をそれぞれ嵌合させつつ摺動自在となる縦移動杆、及び該方形状網戸枠の縦枠に対してその収納ポケット内において脱着自在となるロール網戸カセットから構成され、前記ロール網戸カセットは、上下をブラケットによって回転自在に保持され且つスプリングにより巻回方向に賦勢された巻取軸と、この巻取軸に一端が接合され、他端が前記縦移動杆内において着脱自在となる網押えフープに接合されるメッシュ状網と、このメッシュ状網を引出自在に巻回して形成する網ロール、及びこの網ロールをブラケットを介して回転自在に保持してなる収納ケースとからなるものであって、前記方形状網戸枠の縦枠に設けられた収納ポケット内にロール網戸カセットを収納・固定した上、上記網押えフープを内装して一体となった縦移動杆を、互いに対向する上横枠と下横枠の摺動溝に沿って、網ロールを形成するメッシュ状網を網ロールより引出しつつ摺動させて、戸先縦枠内の縦溝に対して係合固定させることで、方形状網戸枠に対してメッシュ状網を、その上下端縁を上横枠と下横枠の摺動溝内に収容しつつ拡開、張設してなる戸板状収納網戸であって、
上記ロール網戸カセットの収納ケース内に保持される網ロールを形成するメッシュ状網の他端に接合される網押えフープを、横断面において扁平形状として、その一端側に顎部を形成するとともに、他端側に該メッシュ状網を折り返して該メッシュ状網を接合する一方、収納ケースと対向する側に開口して該網押えフープを収容する縦移動杆内部の収容ポケットの開口側に、内側へ向けて突出したリップ部を形成し、該網押えフープを、縦移動杆の収容ポケット内部に挿入すると共に、前記リップ部に対して前記網押えフープの顎部を係合させて、巻取軸への巻回方向への賦勢力によって網押えフープの他端側を収納ポケット内壁に当接させることで、網押えフープを介してメッシュ状網を巻回して形成する網ロールと縦移動杆とを一体に脱着自在に連結してなる戸板状収納網戸。
【請求項２】
上記戸先縦枠内の縦溝に係合するとともに、その内部の収容ポケットに横断面を扁平形状とする網押えフープを収容する縦移動杆において、網押えフープの顎部を嵌着するリップ部と室内外方向において同側に段部を形成する一方、該縦移動杆の係合する戸先縦枠内の縦溝の開口側に、内側へ向けて突出した係合突起を形成し、上記縦移動杆の段部と、戸先縦枠内の縦溝内の係合突起とを係合させて、網押えフープを介した巻取軸への巻回方向への賦勢力によって、縦移動杆の先端側を戸先縦枠内の縦溝内壁に当接させることで、網押えフープ並びに縦移動杆を介して、網ロールからメッシュ状網を戸先縦枠まで張設自在としてなる請求項１記載の戸板状収納網戸。
【請求項３】
対向する断面コ字形状の摺動溝を条設する上横枠と下横枠、及び収納ポケットを条設する縦枠からなるコ字形状網戸枠と、該コ字形状網戸枠の上、下横枠の摺動溝に上・下端をそれぞれ嵌合させつつ摺動自在となる縦移動杆、及び該コ字形状網戸枠の縦枠に対してその収納ポケット内において脱着自在となるロール網戸カセットから構成され、前記コ字形状網戸枠の上、下横枠の先端部にそれぞれ抜止ストッパーを付設するとともに、前記ロール網戸カセットは、上下をブラケットによって回転自在に保持され且つスプリングにより巻回方向に賦勢された巻取軸と、この巻取軸に一端が接合され、他端が前記縦移動杆内において着脱自在となる網押えフープに接合されるメッシュ状網と、このメッシュ状網を引出自在に巻回して形成する網ロール、及びこの網ロールをブラケットを介して回転自在に保持してなる収納ケースとからなるものであって、前記コ字形状網戸枠の縦枠に設けられた収納ポケット内にロール網戸カセットを収納・固定した上、上記網押えフープを内装して一体となった縦移動杆を、互いに対向する上横枠と下横枠の摺動溝に沿って、網ロールを形成するメッシュ状網を網ロールより引出しつつ摺動させて、その上下端部を上、下横枠先端部の抜止ストッパーに対して係合固定させることで、コ字形状網戸枠に対してメッシュ状網を、その上下端縁を上横枠と下横枠の摺動溝内に収容しつつ拡開、張設してなる戸板状収納網戸であって、
上記ロール網戸カセットの収納ケース内に保持される網ロールを形成するメッシュ状網の他端に接合される網押えフープを、横断面において扁平形状として、その一端側に顎部を形成するとともに、他端側に該メッシュ状網を折り返して該メッシュ状網を接合する一方、収納ケースと対向する側に開口して該網押えフープを収容する縦移動杆内部の収容ポケットの開口側に、内側へ向けて突出したリップ部を形成し、該網押えフープを、縦移動杆の収容ポケット内部に挿入すると共に、前記リップ部に対して前記網押えフープの顎部を係合させて、巻取軸への巻回方向への賦勢力によって網押えフープの他端側を収納ポケット内壁に当接させることで、網押えフープを介してメッシュ状網を巻回して形成する網ロールと縦移動杆とを一体に脱着自在に連結してなる戸板状収納網戸。
【請求項４】
上記抜止ストッパーに係合するとともに、その内部の収容ポケットに横断面を扁平形状とする網押えフープを収容する縦移動杆において、網押えフープの顎部を嵌着するリップ部と室内外方向において同側に段部を形成する一方、該縦移動杆の係合する抜止ストッパーは上、下横枠に嵌合するものであって、該抜止ストッパーの室内側側面に、係合歯と該係合歯と該抜止ストッパー間に形成される開放部を設け、上記縦移動杆の段部が、前記開放部に位置すると共に、前記係合歯に係合され、網押えフープを介した巻取軸への巻回方向への賦勢力によって、縦移動杆の先端側を抜止ストッパーの内壁に当接させることで、網押えフープ並びに縦移動杆を介して、網ロールからメッシュ状網をコ字形状網戸枠全面に張設自在としてなる請求項３記載の戸板状収納網戸。
【請求項５】
上記メッシュ状網を巻回する巻取軸の上下端において該巻取軸を一体に軸着支持する支持軸を、収納ケース上下端部に固定配設されるブラケットに対してメッシュ状網の出没方向に穿設された長孔内で、弾性体と共に保持することにより、前記支持軸がメッシュ状網の出没入方向に摺動自在となっていることを特徴とする請求項１乃至４の何れか１項に記載の戸板状収納網戸。
【請求項６】
ロール網戸カセットの収納ケースを縦枠に設けられた収納ポケットに、メッシュ状網の出没方向に摺動自在に固定した上、網ロールを収納する収納ケースに対して、上、下横枠の各端部に設けられたプッシャーに内装された弾性体により出没自在となるロッドを当接させることにより、収納ケース全体がメッシュ状網の出没入方向に摺動自在となっていることを特徴とする請求項１乃至４の何れか１項に記載の戸板状収納網戸。
【発明の詳細な説明】
【０００１】
【発明が属する技術分野】
この発明は、方形状網戸枠、特に主として引違いサッシに使用される方形状網戸枠により構成される戸板状収納網戸の構造に関する。
【０００２】
【従来の技術】
従来、建築物等の開口部周縁のサッシ枠、特に引違いサッシ枠（以下、単にサッシ枠と言う。）等に使用される網戸は、方形状の網戸サッシ枠によって、メッシュ状網の四辺周縁を固定張設してなるもの（以下、「戸板状網戸」という。）であり、上記網戸サッシ枠を形成する網戸サッシ上、下横枠をサッシ枠上、下網戸レールに摺動自在に取り付けてなるものが一般的である。そしてこの戸板状網戸の他にも、拡開、張設又は閉成自在となるように網を弾性をもって巻回する網ロールを収納ケース内に収納し、必要に応じて収納ケース内よりメッシュ状網を引き出してサッシ枠に対して該網を張設して網戸を形成してなるロール網戸や、サッシ枠の外側に別体枠を設けると共に、この別体枠に対して網を折畳、拡開自在に収容し、必要に応じて網戸を形成してなるプリーツ網戸等がある。
【０００３】
【発明が解決しようとする課題】
しかしながら、上記従来の網戸のうち、いわゆる戸板状網戸はサッシ枠の網戸レール上に常時取り付けられているので、排気ガス等によって汚染された空気中に常に曝され、網自体が非常に汚損され易くなると共に、清掃に際しては戸板状網戸を取り外した上で行わなければならず清掃作業が煩雑であり、かつ網戸取付場所が高所で有れば危険を伴うものとなる。更に戸板状網戸はサッシ枠の網戸レール上に常時取り付けられているので、この戸板状網戸の網が人間の視界を遮り使用者にとって非常に煩わしい印象を与えるものとなる。
【０００４】
更に、戸板状網戸自体は単にサッシ枠に対して摺動自在に取り付けられているだけであるので、戸板状網戸が台風等の強風によって常に煽られ、またこの網戸を構成する網戸サッシ枠には軽量化を目的として薄肉化した網戸サッシ枠が使用されていることから、網戸サッシ枠自体の強度が低く、容易に変形してしまい易く、更に戸板状網戸そのものがサッシ枠から容易に脱落してしまうことがある。また市販されている戸板状網戸は、所定のサッシ枠に合わせて予め一体に製造されているので、運搬時においてはそのままの状態で運搬しなければならず、戸板状網戸の運搬作業効率が著しく低下してしまう問題点がある。
【０００５】
そのため、上記戸板状網戸における欠点を解決するために、必要に応じてサッシ枠に対してメッシュ状の網を拡開、張設してなるロール網戸やプリーツ網戸等も提案、実施されている。しかしながら、上記ロール網戸では、サッシ枠の開口部を覆うにあたっては左右二本のロール網戸をサッシ枠を構成する縦枠に配設する必要がある。更に凹凸の多いサッシ枠に対してメッシュ状網を拡開、張設すると、メッシュ状網の上下端縁に隙間が発生してしまい防虫効果が低下するので、その隙間発生を防止するためにサッシ枠に別体のガイドレールを付設することが必要となるものでもある。従って左右二本のロール網戸を設けたり、メッシュ状網の防虫効果を高めるためサッシ枠に別体のガイドレールを付設することは製品コストの上昇を招いてしまう欠点がある。
【０００６】
また、一般的にロール網戸では、網を巻回、収納する収納ケースと、網の一端縁に固定される移動杆とが網を介して互いに引張することとなるから、サッシ枠内に拡開、張設された網が風圧を受けてしまうと、上記収納ケース内の巻取軸に巻き残されている余長分の網が風圧により引出され、拡開、張設されていた網が湾曲し、上記網の上下端縁とサッシ上下枠との間に大きな隙間が発生することとなって密閉性が損なわれ、防虫作用等を喪失してしまうという欠点がある。更に、メッシュ状網は巻取軸に設けられたトーションスプリングによって常に巻取軸方向へ引張されていることから、メッシュ状網を拡開、張設する移動杆を確実に静止固定しようとすると、この固定装置が複雑となり、故障や製品コストの原因となることもある。
【０００７】
一方、プリーツ網戸においては、サッシ枠の室外側に別体枠を設置する必要があり、やはり製造コストの上昇を招いてしまう欠点があるとともに、ロール網戸同様に、網に対して風圧が掛かった際に、網戸としての密閉性が損なわれ易いという欠点がある。
【０００８】
ところで、上記ロール網戸等の構造部材には、アルミニウム型材が使用されていることから、サッシ枠にロール網戸等を取り付けた際に、そのロール網戸等の構造部材とサッシ枠やサッシ窓部材等との色彩が同一でなければ外観意匠上好ましくないという問題があった。ところが、ロール網戸等とサッシ枠等とでは製造方法、製造工程が大きく異なるので、サッシメーカーは網戸専業者にロール網戸等を外注委託するか、網戸専業者が独自に製造するロール網戸を購入しているのが実情である。このようにロール網戸等とサッシ枠の製造者が異なるため、ロール網戸等とサッシ枠等とが同一色となるように予め指定色を取り決めていても、微妙な色違いは防ぎ得ないものとなり、場合によっては、設置されたロール網戸等を色違いを理由として交換しなければならないこともあった。そのため、ロール網戸等に使用されるアルミニウムによる構造部材を、アルミサッシメーカーが製造した上で網戸専業者に配分するものとしているが、色品種が多様化するほどに、管理コスト、輸送コストが嵩み、更に納期遅延の原因ともなっていた。
【０００９】
そこで、この発明は上記従来のものの持つ問題点や欠点を改善するものであり、外観性を損ねることなく、多品種のサッシ枠にも十分に対応して製造コストの低減を図りつつ、汎用性を高めることができる戸板状収納網戸を提供しようとするものである。
【００１０】
【課題を解決するための手段】
そのために、例えば戸板状収納網戸が、対向する断面コ字形状の摺動溝を条設する上横枠と下横枠、及び収納ポケットを条設する縦枠と、前記収納ポケットと対向する側に開口する断面コ字形状の縦溝を条設する戸先縦枠とからなる方形状網戸枠と、該方形状網戸枠の上、下横枠の摺動溝に上・下端をそれぞれ嵌合させつつ摺動自在となる縦移動杆、及び該方形状網戸枠の縦枠に対してその収納ポケット内において脱着自在となるロール網戸カセットから構成され、前記ロール網戸カセットは、一端を、上下をブラケットによって回転自在に保持され且つスプリングにより巻回方向に賦勢された巻取軸に、他端を、縦移動杆内において着脱自在となる網押えフープに、それぞれ接合してなるメッシュ状網を引出自在に巻回して形成する網ロール、及びこの網ロールをブラケットを介して回転自在に保持してなる収納ケースとからなるものであって、前記方形状網戸枠の縦枠に設けられた収納ポケット内にロール網戸カセットを収納・固定した上、上記網押えフープを内装して一体となった縦移動杆を、互いに対向する上横枠と下横枠の摺動溝に沿って、網ロールを形成するメッシュ状網を網ロールより引出しつつ摺動させて、戸先縦枠内の縦溝に対して係合固定させることにより形成されるものである。
【００１１】
そしてより具体的には、上記ロール網戸カセットの収納ケース内に保持される網ロールを形成するメッシュ状網の他端に接合される網押えフープを、横断面において扁平形状として、その一端側に顎部を形成するとともに、他端側にもしくは他端側において該メッシュ状網を折り返して該メッシュ状網を接合する一方、収納ケースと対向する側に開口して該網押えフープを収容する縦移動杆内部の収容ポケットの開口側に、内側へ向けて突出したリップ部を形成し、該網押えフープを、縦移動杆の収容ポケット内部に挿入すると共に、前記リップ部に対して前記網押えフープの顎部を係合させて、巻取軸への巻回方向への賦勢力によって網押えフープの他端側を収納ポケット内壁に当接させることで、網押えフープを介してメッシュ状網を巻回して形成する網ロールと縦移動杆とを一体に脱着自在に連結してなるものであり、更にはそれに併せて、上記戸先縦枠内の縦溝に係合するとともに、その内部の収容ポケットに横断面を扁平形状とする網押えフープを収容する縦移動杆において、網押えフープの顎部を嵌着するリップ部と室内外方向において同側に段部を形成する一方、該縦移動杆の係合する戸先縦枠内の縦溝の開口側に、内側へ向けて突出した係合突起を形成し、その内部に設けた収容ポケット内に網押えフープを収容した縦移動杆の段部と、戸先縦枠内の縦溝内の係合突起とを係合させて、網押えフープを介した巻取軸への巻回方向への賦勢力によって、縦移動杆の先端側を戸先縦枠内の縦溝内壁に当接させることで、網押えフープ並びに縦移動杆を介して、網ロールからメッシュ状網を戸先縦枠まで張設自在としてなるものである。
【００１２】
更に併せて、上記メッシュ状網を巻回する巻取軸の上下端において該巻取軸を一体に軸着支持する支持軸を、収納ケース上下端部に固定配設されるブラケットに対してメッシュ状網の出没方向に穿設された長孔内で、弾性体と共に保持することにより、又は、ロール網戸カセットの収納ケースを縦枠に設けられた収納ポケットに、メッシュ状網の出没方向に摺動自在に固定した上、網ロールを収納する収納ケースに対して、上、下横枠の各端部に設けられたプッシャーに内装された弾性体により出没自在となるロッドを当接させることにより、支持軸又は支持軸を含む収納ケース全体に対してメッシュ状網の没入方向に押勢してなるものである。
【００１３】
【発明の実施の形態】
上記の通り、方形状網戸枠の縦枠に設けられた収納ポケットに別体となるロール網戸カセットが収納・固定され、必要に応じて適宜方形状網戸枠にメッシュ状網の上下端縁を上横枠と下横枠の摺動溝内に収容しつつ拡開、張設できることから、従来の戸板状網戸に存する、メッシュ状網の常時張設による欠点を解消しうるとともに、網の点検や交換を容易化するものである。又、従来のロール網戸やプリーツ網戸に比して低コストで製造可能となるとともに、ロール網戸カセットが縦枠に設けられた収納ポケットに収納され、又、網押えフープも縦移動杆に内装されて外部に現れないないことから、ロール網戸カセットを網戸専業者が別途製造しても、そのロール網戸カセットを構成するアルミサッシ材とサッシ枠等との色違いが外観上問題となることもない。そして更に、方形状網戸枠に拡開、張設されることとなるメッシュ状網の上下端縁は、縦移動杆の摺動する上、下横枠の摺動溝内において内壁面に密着しつつ収容されているので、防虫効果を高めることができる。
【００１４】
その上、上記ロール網戸カセットの収納ケース内に保持される網ロールを形成するメッシュ状網に接合される網押えフープを、網ロールの巻取軸に付与される巻回方向への賦勢力を利用して、縦移動杆内部の収容ポケット内において、網押えフープの顎部と該収容ポケットのリップ部との係合点を中心として回動させて、収容ポケット内壁面に当接させることにより固定しうるので、簡易な構成で網押えフープと縦移動杆とを脱着自在に連結することができる。その上、網押えフープを収容する縦移動杆を、その段部と戸先縦枠の縦溝内の係合突起との係合点を中心として、前記同様網ロールの巻取軸に付与される巻回方向への賦勢力を利用して網押えフープを介して回動させて、縦溝内の内壁面に当接させることにより固定しうるので、簡易な構成でメッシュ状網を張設自在とすることができる。
【００１５】
更に、巻取軸を一体に軸着支持する支持軸又は該支持軸を含む収納ケースに対してメッシュ状網の没入方向に押勢することで、まずメッシュ状網を張設するにあたって多少寸法が足りなくても、網押えフープを介して網ロールと一体となった縦移動杆を強く摺動させることで網ロールの巻取軸が移動して縦移動杆の戸先縦枠との係合固定を可能とすることができる。しかも、方形状網戸枠に拡開、張設されたメッシュ状網は、巻取軸に対するスプリングによる巻回方向への賦勢とともに、前記支持軸又は該支持軸を含む収納ケースに対するメッシュ状網の没入方向への押勢により、より一層強く緊張されるので、上記メッシュ状網の上下端縁は上、下横枠の摺動溝内に強く密着し防虫効果を更に高めるものとなる。
【００１６】
【実施例】
この発明の実施例を図によって更に詳細に説明する。図１において、（１）は、この発明の実施例である戸板状収納網戸であり、この戸板状収納網戸（１）は、対向する断面コ字状の摺動溝（３’）（４’）を条設する上横枠（３）と下横枠（４）、及び収納ポケット（８’）を条設する縦枠（８）、並びに前記収納ポケット（８’）と対向する側に開口した断面コ字形状の縦溝（７’）を条設する戸先縦枠（７）とからなる方形状網戸枠（２）と、この方形状網戸枠（２）をなす上横枠（３）と下横枠（４）の摺動溝（３’）（４’）に、その上下端をガイド端子（２６）（２７）を介して嵌合させて摺動自在となる縦移動枠（５）と、縦枠（８）に対して、その収納ポケット（８’）内において脱着自在となるロール網戸カセット（６）から構成されるものである。そして、戸先縦枠（７）と上、下横枠（３）（４）との接合は、コイル状圧縮バネ（３０）を外装したネジ（３１）で行われていることから、この方形状網戸枠（２）自体の開口幅の微調整を可能として、方形状網戸枠（２）に拡開、張設されるメッシュ状網（１１）の長さとの製作誤差を吸収することができる構造となっている。尚、本実施例における収納ポケット（８’）は室内側を開放した形状として、収納ケース（１４）の収納ポケット（８’）への収納・固定の容易性を優先させているが、方形状網戸枠（２）自体の内側へ向けて開口を有する断面コ字あるいはＵ字形状としてもよい。その場合には、後述するロール網戸カセット（６）の収納ケース（１４）は室内外側とも該収納ポケット（８’）に覆われてしまうことから、室内側から見ても、その収納ケース（１４）を構成するアルミサッシ材とサッシ枠（２１）等との色違いが外観上問題となることもない。
【００１７】
一方、この発明の実施例である戸板状収納網戸（１）をなす方形状網戸枠（２）の縦枠（８）に対して、その収納ポケット（８’）内において脱着自在となるロール網戸カセット（６）は、この縦枠（８）とは別体であり、一端を、上下をブラケット（１５）（１６）によって回転自在に保持されるとともに、トーションスプリング（図示せず）により巻回方向へ賦勢された巻取軸（１０）に、又、他端を、上横枠（３）と下横枠（４）に条設される摺動溝（３’）（４’）に沿って摺動自在となる縦移動杆（５）に対して、その収容ポケット（５’）内において着脱自在となる網押えフープ（１２）に、それぞれ接合してなるメッシュ状網（１１）を巻回して形成する網ロール（９）、及びこの網ロール（９）を内部に保持してなる収納ケース（１４）とからなるものである。尚、本実施例における収納ケース（１４）は、縦枠（８）の収納ポケット（８’）に収納・固定した際に室外側となる向きは開放として、収納ポケット（８’）に収納・固定されて初めて閉空間を形成するものとしているが、収納ケース（１４）自体によって閉空間を形成してもよく、その場合には、網ロール（９）を内部に保持した収納ケース（１４）を含むロール網戸カセット（６）自体の保管や運搬が容易となるものである。
【００１８】
ところで、上横枠（３）と下横枠（４）に条設される摺動溝（３’）（４’）に上下端をガイド端子（２６）（２７）を介して嵌合させることにより、該摺動溝（３’）（４’）に沿って摺動自在となる縦移動杆（５）と、メッシュ状網（１１）を巻回して形成する網ロール（９）とは、横断面を扁平形状とした網押えフープ（１２）を介して一体に連結される。すなわち、横断面を扁平形状とした網押えフープ（１２）の一端側にはＵ字状断面となる顎部（１２’）が設けられ、メッシュ状網（１１）が該網押えフープ（１２）の他端側を巡るように折り返されて接合される。一方、縦移動杆（５）には、収納ケース（１４）側へ向けて開口を有する収容ポケット（５’）が設けられ、該収容ポケット（５’）の開口端部には室内側から室外側へ突出するリップ部（５”）が設けられる。そして、メッシュ状網（１１）の接合された網押えフープ（１２）は、縦移動杆（５）の内部に設けられた収容ポケット（５’）に挿入されるとともに、前記Ｕ字状断面となる顎部（１２’）が収容ポケット（５’）内部に設けられたリップ部（５”）に係合される。すると、網押えフープ（１２）の他端側は、トーションスプリングによって巻取軸（１０）が巻回方向に賦勢されていることから生ずるメッシュ状網（１１）の引張力によって、前記顎部（１２’）とリップ部（５”）との係合点を中心として反時計回りに回転しようとするが、縦移動杆（５）の収容ポケット（５’）の開口幅が狭いため、収容ポケット（５’）の内壁面に当接することとなる。すなわち網押えフープ（１２）は、メッシュ状網（１１）の引張力を利用することによって、顎部（１２’）とリップ部（５”）との係合点と、網押えフープ（１２）の他端と収容ポケット（５’）の内壁面との当接点との間で強固に固定されることとなる。これにより、網押えフープ（１２）を介してメッシュ状網（１１）を巻回して形成する網ロール（９）と縦移動杆（５）とを着脱自在に一体に連結してなるものである（図３参照）。
【００１９】
また、前記のように、網押えフープ（１２）を介してメッシュ状網（１１）を巻回して形成する網ロール（９）と一体に連結される縦移動杆（５）には、その室内側において段部（３４）が形成されており、一方、戸先縦枠（７）の縦溝（７’）の室内側先端には、縦溝（７’）の内側へ向けて突出した係合突起（７”）が設けられている。そして、メッシュ状網（１１）の接合された網押えフープ（１２）を収容ポケット（５’）に内装した縦移動杆（５）は、戸先縦枠（７）の縦溝（７’）に挿入されるとともに、前記段部（３４）が縦溝（７’）の内側へ向けて突出した係合突起（７”）に係合される。すると、縦移動杆（５）の先端は、トーションスプリングによって巻取軸（１０）が巻回方向に賦勢されていることから生ずるメッシュ状網（１１）の引張力によって、前記段部（３４）と係合突起（７”）との係合点を中心として反時計回りに回転しようとするが、戸先縦枠（７）の縦溝（７’）の開口幅が狭いため、縦溝（７’）の内壁面に当接することとなる。すなわち、縦移動杆（５）は網押えフープ（１２）同様、メッシュ状網（１１）の引張力を利用することによって、段部（３４）と係合突起（７”）との係合点と、縦移動杆（５）の先端と縦溝（７’）の内壁面との当接点との間で強固に固定されることとなる。これにより、網押えフープ（１２）並びに縦移動杆（５）を介して、メッシュ状網（１１）を巻回して形成する網ロール（９）からメッシュ状網（１１）を戸先縦枠（７）まで張設自在とするものである。（図２参照）。
【００２０】
また、上記メッシュ状網（１１）を巻回する巻取軸（１０）をその上下端において軸着支持することとなる支持軸（１３）は、その端部が角軸部（１３’）となっているとともに、巻取軸（１０）を回転自在に保持する上下のブラケット（１５）（１６）には、それぞれメッシュ状網（１１）の出没方向に長孔（１５’）が穿設されており、その長孔（１５’）に前記角軸部（１３’）が圧縮バネ（１７）によってメッシュ状網（１１）の網ロール（９）への没入方向へ押勢されつつ摺動自在に嵌合されている（図４参照）。
【００２１】
そして、戸板状収納網戸（１）を構成する方形状網戸枠（２）の上、下横枠（３）（４）は、サッシ枠（２１）の上、下網戸レール（２２）（２３）に対して振れ止め（２４）及びスライディングシュー（２５）を介して摺動自在に取り付けられているものである（図５参照）。このため、方形状網戸枠（２）はサッシ枠（２１）内の必要な位置に戸板状収納網戸（１）を設置できるようになるものである。なお、このとき方形状網戸枠（１）に拡開、張設されることとなるメッシュ状網（１１）の上下端縁にはポリエステルテープ（１８）が貼着されていることで強度が強くなり、面外方向からの風圧を受けても、メッシュ状網（１１）の上下端縁（１１’）（１１”）は、その収容されている上、下横枠（３）（４）内の摺動溝（３’）（４’）の内壁面に密着して逸脱することがないものとなる。
【００２２】
この発明の実施例である戸板状収納網戸（１）は以上の構成を具えるので、まずこの戸板状収納網戸（１）を使用する場合には、ロール網戸カセット（６）の収納ケース（１４）内に保持される網ロール（９）の他端に接合する網押えフープ（１２）を介して一体に連結される縦移動杆（５）を、方形状網戸枠（２）を構成する上、下横枠（３）（４）の摺動溝（３’）（４’）に沿って摺動させることにより、上記収納ケース（１４）内において回転自在に保持される網ロール（９）からメッシュ状網（１１）が引出されることとなる。更に、この縦移動杆（５）を上、下横枠（３）（４）の摺動溝（３’）（４’）に沿って摺動させて、収納ケース（１４）の収納・固定された縦枠（８）に対向する戸先縦枠（７）内の縦溝（７’）内に至らせるものである。この時、縦移動杆（５）は、その上下端が上、下横枠（３）（４）の摺動溝（３’）（４’）に嵌合されつつ摺動していることから、上記摺動溝（３’）（４’）によって摺動することのみが可能であるが、戸先縦枠（７）の縦溝（７’）内では、上記上、下横枠（３）（４）の摺動溝（３’）（４’）による規制がなくなる。そして、網押えフープ（１２）を介して一体に連結する網ロール（９）の巻取軸（１０）に対して、トーションスプリング（図示せず。）によって網ロール（９）の巻回方向へ賦勢力が付与されていることから、メッシュ状網（１１）に引張力が掛かっていることから、縦移動杆（５）の段部（３４）を戸先縦枠（７）の縦溝（７’）内に設けられた係合突起（７”）に係合させれば、縦移動杆（５）は、その段部（３４）と係合突起（７”）との係合点を中心として、自動的に反時計回りに回転し、縦移動杆（５）の先端が戸先縦枠（７）の縦溝（７’）の内壁面に当接して固定されることから、戸先縦枠（７）内の縦溝（７’）内において一体に係合固定されるものである。従って、この縦移動杆（５）の戸先縦枠（７）の縦溝（７’）内での係合固定により、方形状網戸枠（２）全面において、その上下端縁（１１’）（１１”）を上、下横枠（３）（４）の摺動溝（３’）（４’）内に収容しつつメッシュ状網（１５）を拡開、張設でき、この発明の実施例である戸板状収納網戸（１）としてなるものである。
【００２３】
その際、上記メッシュ状網（１１）を巻回する巻取軸（１０）が、その支持軸（１３）を介して、メッシュ状網（１１）の網ロール（９）への没入方向へ押勢されつつ摺動自在となっていることから、メッシュ状網（１１）の寸法に多少の誤差があり、方形状網戸枠（２）の開口幅よりも短いものであっても、縦移動杆（５）を強く摺動することにより上記圧縮バネ（１７）が圧縮されて巻取軸（１０）が移動し、上記縦移動杆（５）と戸先縦枠（７）の縦溝（７’）との係合固定が可能となる。更に、方形状網戸枠（２）の全面に拡開、張設されているメッシュ状網（１１）は、トーションスプリング（図示せず。）による賦勢力により引張されていると共に、その巻回する巻取軸（１０）が前記圧縮バネ（１７）により、メッシュ状網（１１）の網ロール（９）への没入方向（すなわち、トーションスプリングによる賦勢力により引張されている方向と同一方向）へ押勢されていることから、拡開、張設されているメッシュ状網（１１）はより一層強く緊張され、上記メッシュ状網（１１）の上下端縁（１１’）（１１”）に貼着されているポリエステルテープ（１８）と合わせて、上、下横枠（３）（４）の摺動溝（３’）（４’）の内壁面に強く密着し、この発明の実施例である戸板状収納網戸（１）の防虫作用を著しく向上させるとともに、耐面外圧力性能をも向上させることができるものである。
【００２４】
また、ロール網戸カセット（６）の収納ケース（１４）及びメッシュ状網（１１）の他端に接合される網押えフープ（１２）は、いずれも縦枠（８）の収納ポケット（８’）と縦移動杆（５）の収容ポケット（５’）とにそれぞれ収納あるいは収容されることから、外側からはそれら収納ケース（１４）及び網押えフープ（１２）の構成部材が見えず、サッシ枠（２１）や方形状網戸枠（２）等との色違いの問題は発生しないものとなる。そして、方形状網戸枠（２）と、この方形状網戸枠（２）を構成する縦枠（８）に対して脱着自在となるロール網戸カセット（６）とは別体であるので、この方形状網戸枠（２）に対してロール網戸カセット（６）を取り付けるだけで容易に後付を行うことができ、又、網ロール（９）の交換・点検も容易に行うことができるようになる。
【００２５】
なお、この発明の実施例である戸板状収納網戸（１）におけるメッシュ状網（１１）の拡開、張設が不必要となった場合には、戸先縦枠（７）の縦溝（７’）内において反時計回りに回転して係合固定している縦移動杆（５）を時計回りに回転させつつ、縦移動杆（５）の段部（３４）と戸先縦枠（７）の縦溝（７’）の係合突起（７”）との係合を外せば、その後はメッシュ状網（１１）に対するトーションスプリング（図示せず。）による引張力により、縦移動杆（５）は上、下横枠（３）（４）の摺動溝（３’）（４’）に沿って収納ケース（１４）側へ摺動し、方形状網戸枠（２）の全面に拡開、張設されていたメッシュ状網（１１）は、再びロール網戸カセット（６）の収納ケース（１４）内に保持される網ロール（９）に巻回されるものとなる。
【００２６】
図６に示すものは、メッシュ状網（１１）を巻回する巻取軸（１０）を摺動自在とする他の実施例であり、縦枠（８）の収納ポケット（８’）内において、ロール網戸カセット（６）の収納ケース（１４）をメッシュ状網（１１）の出没方向に摺動自在に収納・固定するとともに、内装された圧縮バネ（１７’）により押勢されたロッド（２０）を有するプッシャー（１９）を、ロッド（２０）が収納ケース（１４）の上、下ブラケット（１５）（１６）に当接するよう上、下横枠（３）（４）端部に設け、該ブラケット（１５）（１６）をロッド（２０）がメッシュ状網（１１）の網ロール（９）への没入方向に押勢してなるものである。これにより、メッシュ状網（１１）の寸法に多少の誤差があり、方形状網戸枠（２）の開口幅よりも短いものであっても、縦移動杆（５）を強く摺動することにより上記圧縮バネ（１７’）が圧縮されて収納ケース（１４）自体が移動し、上記縦移動杆（５）と戸先縦枠（７）の縦溝（７’）との係合固定が可能となる。更に、方形状網戸枠（２）の全面に拡開、張設されているメッシュ状網（１１）は、トーションスプリング（図示せず。）による賦勢力により引張されていると共に、その巻回する巻取軸（１０）を保持した収納ケース（１４）が前記圧縮バネ（１７’）により、メッシュ状網（１１）の網ロール（９）への没入方向（すなわち、トーションスプリングによる賦勢力により引張されている方向と同一方向）へ押勢されていることから、拡開、張設されているメッシュ状網（１１）はより一層強く緊張され、上記メッシュ状網（１１）の上下端縁（１１’）（１１”）に貼着されているポリエステルテープ（１８）と合わせて、上、下横枠（３）（４）の摺動溝（３’）（４’）の内壁面に強く密着し、この発明の実施例である戸板状収納網戸（１）の防虫作用を著しく向上させるとともに、耐面外圧力性能をも向上させることができるものである。
【００２７】
図７において示すものは、この発明のその他の実施例である戸板状収納網戸（１’）であり、この戸板状収納網戸（１’）は、対向する断面コ字状の摺動溝（３’）（４’）を条設する上横枠（３）と下横枠（４）、及び収納ポケット（８’）を条設する縦枠（８）とからなるコ字形状網戸枠（２８）と、このコ字形状網戸枠（２８）をなす上横枠（３）と下横枠（４）の摺動溝（３’）（４’）に、その上下端をガイド端子を介して嵌合させて摺動自在となる縦移動杆（５ａ）と、縦枠（８）に対して、その収納ポケット（８’）内において脱着自在となるロール網戸カセット（６）からなるものであって、上、下横枠（３）（４）の各先端部に抜止ストッパー（２９）を嵌合してなるものである。そして該抜止ストッパー（２９）の室内側側面には、係合歯（３２）と開放部（３３）とが併設されている。そして、このコ字形状網戸枠（２８）に対してメッシュ状網（１１）を拡開、張設する場合には、前記方形状網戸枠（２）の場合と同様に、網押えフープ（１２）を縦移動杆（５ａ）の収容ポケット（５ａ’）内に係合させて連結した上、上記縦移動杆（５ａ）を互いに対向する上横枠（２）と下横枠（３）の断面コ字形状である摺動溝（２’）（３’）に沿って摺動させることで、網ロール（９）よりメッシュ状網（１１）を引き出すものとし、さらに上、下横枠（２）（３）の先端部に付設する抜止ストッパー（２９）の開放部（３３）位置まで縦移動杆（５ａ）を摺動させることにより、縦移動杆（５ａ）は上、下横枠（３）（４）の摺動溝（３’）（４’）による規制から開放され、縦移動杆（５ａ）の段部（３４ａ）が抜止ストッパー（２９）の係合歯（３２）と係合すれば、その係合点を中心として、自動的に反時計回りに回転しようとするが、抜止ストッパー（２９）の開口幅が狭いため、縦移動杆（５ａ）の先端が抜止ストッパー（２９）の内壁面に当接して固定される。その結果、縦移動杆（５ａ）が戸先縦枠（７）をも兼用するものとして、コ字形状網戸枠（２８）に対して一体に係合固定されるものとなる（図８参照）。
【００２８】
【発明の効果】
以上のとおり、この発明にかかる戸板状収納網戸は、方形状網戸枠又はコ字形状網戸枠と別体であり、かつ方形状網戸枠又はコ字形状網戸枠を構成する縦枠に対して脱着自在となるロール網戸カセットの収納ケース内に保持される網ロールを引出しつつ拡開、張設するものであるので、簡易な構成であって、方形状網戸枠又はコ字形状網戸枠をサッシ枠の任意の位置に設定しうるとともに、メッシュ状網の張設及び収納を自在とし、又、上記方形状網戸枠又はコ字形状網戸枠とロール網戸カセットを構成する部材との色違いの発生を防止し、更には防虫作用を損ねることなく耐面外圧力性能をも向上することができる上、この戸板状収納網戸自体を後付けすることができることから、製品コストの上昇を招くことなく、多品種のサッシ枠にも十分に対応して汎用性を高めることができるという優れた効果を有するものである。
【図面の簡単な説明】
【図１】この発明の実施例である方形状網戸枠を使用した戸板状収納網戸の正面図である。
【図２】図１における戸板状収納網戸のメッシュ状網張設時の横断面図である。
【図３】図１における戸板状収納網戸のメッシュ状網張設時の要部拡大横断面図である。
【図４】図１における戸板状収納網戸の巻取軸を摺動自在に保持する構造を示した図である。
【図５】図１における戸板状収納網戸をサッシ枠に取り付けた状態の縦断面図である。
【図６】この発明の実施例である戸板状収納網戸の巻取軸を摺動自在に保持するその他の構造を示した図である。
【図７】この発明の他の実施例であるコ字形状網戸枠を使用した戸板状収納網戸の正面図である。
【図８】図７における戸板状収納網戸のメッシュ状網張設時の横断面図である。
【符号の説明】
１  戸板状収納網戸
１’  戸板状収納網戸
２  方形状網戸枠
３  上横枠
３’  摺動溝
４  下横枠
４’  摺動溝
５  縦移動杆
５’  収容ポケット
５”  リップ部
５ａ  縦移動杆
５ａ’  収容ポケット
６  ロール網戸カセット
７  戸先縦枠
７’  縦溝
７”  係合突起
８  縦枠
８’  収納ポケット
９  網ロール
１０  巻取軸
１１  メッシュ状網
１１’  上端縁
１１”  下端縁
１２  網押えフープ
１２’  顎部
１３  支持軸
１３’  角軸部
１４  収納ケース
１５、１６  ブラケット
１５’  長孔
１７、１７’  圧縮バネ
１８  ポリエステルテープ
１９  プッシャー
２０  ロッド
２１  サッシ枠
２２  上網戸レール
２３  下網戸レール
２４  振れ止め
２５  スライディングシュー
２６、２７  ガイド端子
２８  コ字形状網戸枠
２９  抜止ストッパー
３０  コイル状圧縮バネ
３１  ネジ
３２  係合歯
３３  開放部
３４  段部
３４ａ  段部
【図１】
0003965069.tif 000002
【図２】
0003965069.tif 000003
【図３】
0003965069.tif 000004
【図４】
0003965069.tif 000005
【図５】
0003965069.tif 000006
【図６】
0003965069.tif 000007
【図７】
0003965069.tif 000008
【図８】
0003965069.tif 000009